(57)【要約】 【課題】  製品の成形不良防止及び剛性保持と目付減を両立させることができるヒンジキャップを提供する【解決手段】  キャップ本体中央部の内容液流出口の回りを一周する角度範囲において形成されている環状の天板１０の下部に延出する筒状の内スカート２１と外スカート２２とによってボトルノズル部を嵌合させるための環状の隙間を形成し、かつ天板１０の上部に延出する流出案内樋８と戻り液受け壁１１との間に戻り液回収流路１２を形成しており、環状の天板１０を一周する角度範囲のうち少なくとも一部分の角度範囲で天板１０の下面に肉抜き部２４を形成した【選択図】  図１
2005112406.tif 000002
【特許請求の範囲】
【請求項１】
キャップ本体と前記キャップ本体を開閉する天蓋とを開閉ヒンジで連絡して一体として構成されたヒンジキャップであって、前記キャップ本体は内容液注出口を有し、かつ前記キャップ本体は前記内容液注出口の中心線の回りを一周する角度範囲のうちの少なくとも一部分において前記天板の下面に肉抜き部を形成したことを特徴とするヒンジキャップ。
【請求項２】
キャップ本体と前記キャップ本体を開閉する天蓋とを開閉ヒンジで連絡して一体として構成されたヒンジキャップであって、前記キャップ本体は内容液注出口を有し、かつ前記キャップ本体は前記内容液注出口の中心線の回りを一周する角度範囲において形成されている環状の天板の下部に延出する筒状の内スカートと外スカートとの間に上端が前記天板によって閉じられているボトルノズル部を嵌合させるための環状の空隙を形成しており、かつ前記キャップ本体は前記天板から上方に延出する流出案内樋と戻り液受け壁とを有していて前記流出案内樋と前記戻り液受け壁との間に下端が前記天板によって閉じられている戻り液回収流路を形成しており、前記環状の天板を前記中心線の回りに一周する角度範囲のうち前記開閉ヒンジと連結する角度範囲の少なくとも一部分を肉抜き部を形成しない肉抜き部不形成角度範囲とし、残余の角度範囲の少なくとも一部分を肉抜き部を形成する肉抜き部形成角度範囲とし、前記肉抜き部形成角度範囲において前記天板の下面に肉抜き部を形成したことを特徴とするヒンジキャップ。
【請求項３】
前記肉抜き部は間欠的に形成されていることを特徴とする請求項１または２記載のヒンジキャップ。
【請求項４】
前記肉抜き部は前記戻り液回収流路の底壁をなす天板の下面にかかる部分に形成されていることを特徴とする請求項１または２記載のヒンジキャップ。
【請求項５】
前記肉抜き部は前記戻り液受け壁が立ち上がっている天板の下面にかかる部分に形成されていることを特徴とする請求項１または２記載のヒンジキャップ。
【請求項６】
前記肉抜き部形成角度範囲は２７０°〜３４０°であり、前記肉抜き部不形成角度範囲は２０°〜９０°であることを特徴とする請求項１または２記載のヒンジキャップ。
【発明の詳細な説明】
【技術分野】
【０００１】
この発明は容器の口部を閉じるヒンジキャップに関するものである。
【背景技術】
【０００２】
ヒンジキャップは容器のボトルノズル部に取り付けられて、内容液が容器からボトルノズル部を通して注出されるときの内容液の注出流れを案内し、またボトルノズル部を開閉する蓋体であって、ノズル部に固定されて内容液の注出流れを案内するキャップ本体とボトルノズル部を開閉する天蓋を開閉ヒンジで連結して備えている。
【０００３】
このヒンジキャップはプラスチックを材料として、射出成形等の成形技術によって製造されるが、製品を薄肉化して冷却効率を向上させる目的と使用材料の量を低減させる目付減の要請とから、肉厚を部分的に減少させる肉抜きを施す技術が採用されている。
【０００４】
しかし肉抜きを行って製品を薄肉にすると製品の薄肉化によって製品の剛性が低下し、キャップ本体のボトルノズル部との嵌合力が低下し、キャップ本体がボトルノズル部から抜け易くなることがある。
【０００５】
また、成形時の樹脂流の金型内の流路断面が小さくなって、射出ゲートから遠い開閉ヒンジ及びその先の天蓋の部分に充分な樹脂流が供給されず、表面剥離、焼け等の成形不良が発生する原因となることがある。
【０００６】
【特許文献１】特開平１１−１９３０４８
【発明の開示】
【発明が解決しようとする課題】
【０００７】
この発明は上記の如き事情に鑑みてなされたものであって、製品の剛性保持と目付減を両立させることができ、しかも製品の成形不良防止を実現することができるヒンジキャップを提供することを目的とするものである。
【課題を解決するための手段】
【０００８】
この目的に対応して、この発明のヒンジキャップは、キャップ本体と前記キャップ本体を開閉する天蓋とを開閉ヒンジで連絡して一体として構成されたヒンジキャップであって、前記キャップ本体は内容液注出口を有し、かつ前記キャップ本体は前記内容液注出口の中心線の回りを一周する角度範囲のうちの少なくとも一部分において前記天板の下面に肉抜き部を形成したことを特徴としている。
【発明の効果】
【０００９】
この発明のヒンジキャップではキャップ本体の天板の下面に肉抜き部を設けて目付量を減少させるが、戻り液回収流路の底壁をなす天板はボトルノズルにキャップ本体を嵌着させたときに主に引っ張り力が作用する部分であるので材料の充分な強度を利用して、この部分には嵌着力を維持したまま肉抜き部を形成することができる。また、戻り液受け壁が天板から立ち上がっている根本の部分は厚肉になっているので、この部分の天板の下面に肉抜き部を形成するときは、キャップ本体の剛性を低下させずに目付減を実現することができる。
【００１０】
また特に、その肉抜きは、天板を一周する３６０°の範囲に連続して形成するのではなくて、天板が開閉ヒンジに連結する部分には肉抜き部を形成しない構成にしたときは、その結果、キャップ本体の射出ゲートから開閉ヒンジを通してキャップに達する樹脂流の流路の断面は大きいまま確保されていて、樹脂流の流路を平準化し、充分な樹脂流が天蓋に供給されるので、天蓋において表面剥離、焼け等の成形不良の発生を防ぐことができる。
【００１１】
次に肉抜き部は連続的に形成されるのではなく間欠的に形成したときは、その結果、隣合う肉抜き部の間には肉抜きされない部分が大きな肉厚をもって畦状に残されていて、この部分が樹脂流の流れを確保すると共に、冷却固化後には製品のリブとして機能し、製品の剛性を保ち、キャップ本体のボトルノズルに対する嵌着力を維持する。これによって、製品の成形不良防止、剛性保持と目付減を両立させる。
【発明を実施するための最良の形態】
【００１２】
以下、この発明を一実施の形態を示す図面について説明する。
【００１３】
図１及び図２において、１はヒンジキャップである。
ヒンジキャップ１はキャップ本体２と天蓋３とを開閉ヒンジ４によって連結して備えていてキャップ本体２は容器のボトルノズル部（図示せず）に装着して容器からの内容液の注出の案内をする部材であり、内容液の注出口５を有している。
【００１４】
天蓋３は開閉ヒンジ４を中心として回転変位してキャップ本体２を開閉するものである。
【００１５】
キャップ本体２は枠体６と口蓋７とを備えている。枠体６はボトルノズル部に嵌着するとともに中央部に注出口５を形成する部材で、枠体６の中心線９に垂直をなす円環状の天板１０を有する。天板１０は全体として円環状をなしているが、段差１３を境にして内側部分１４と外側部分１５とが連続して構成されていて、外側部分１５から上方に注出口５の周囲に内側から流出案内樋８と戻り液受け壁１１とが延出している。
【００１６】
戻り液受け壁１１は注出口５の回りを一周して形成されており、流出案内樋８の後端２０は切り欠かれて開いている。戻り液受け壁１１と流出口５の間には天板１０が底壁をなす樋状の空隙が形成され、この空隙が戻り液回収流路口１２を構成している。この戻り液回収流路１２は後端１９で注出口５の後端と連通している。
【００１７】
内側部分１４の中央部寄りには注出口５が形成されており、この注出口５は口蓋７によって閉じられている。口蓋７は切断可能なスコアー１６を介して天板１０の内側部分１４の内縁に切り取り可能に接続している。
【００１８】
口蓋７の上面にはプルリング１７が支柱１８を介して連結しており、また口蓋７の下面７には射出ゲート２９が設けられている。
【００１９】
天板１０の外側部分１５から下方にそれぞれ円筒状の内スカート２１及び外スカート２２が延出していて、内スカート２１と外スカート２２の間に天板１０が天壁をなす長尺環状の空隙２３が形成され、この空隙２３にボトルノズルを差し込むことによって、枠体６がボトルノズルに装着する。
【００２０】
天板１０には肉抜き部２４が環状の天板１０を中心線９回りに一周する３６０°の角度範囲、または一周する３６０°の角度範囲のうち少なくとも一部分に形成されている。図１及び図２に示す実施例ではθ1の角度範囲に形成されている。すなわち、環状の天板１ ０を中心線９回りに一周する３６０°の角度範囲のうち、注出時に内容液が流れ出る前方の一定角度範囲θ1の肉抜き部形成部分２７において天板１０の下面に肉抜き部２４が形 成されていて、後方の開閉ヒンジ４と連結する部分の角度範囲θ2には肉抜き部２４は形 成されない肉抜き部不形成部分２５が存在する。肉抜き部２４は天板１０を窪み状に肉厚を削減することによって形成される。
【００２１】
肉抜き部２４は連続した一体のものとし形成されるのではなく、間欠的に多数が天板１０の周方向に配列され、隣り合う肉抜き部分２４の間には角度幅Ｗの肉厚が削減されない肉抜き部不形成部分２６が畔状に残留している。
【００２２】
また肉抜き部不形成部分２５の両側のθ3の角度範囲は角度範囲θ1の肉肉抜き部形成部分２７と角度範囲θ2の肉抜き部不形成部分２５との過渡部分２８で肉抜き高さが０まで 徐変する。
【００２３】
肉抜き部２４を形成する天板１０の径方向の位置としては、天板１０の外側部分１５の中央部下方、戻り液回収流路１２の下方または戻り液受け壁１１の下方に形成する。
【００２４】
このように構成したヒンジキャップではキャップ本体の天板の下面に肉抜き部を設けて目付量を減少させるが、戻り液回収流路の底壁をなす天板はボトルノズルにキャップ本体を嵌着させたときに主に引っ張り力が作用する部分であるので、この部分には嵌着力を維持したまま肉抜き部を形成することができる。また、戻り液受け壁が天板から立ち上がっている根本の部分は厚肉になっているので、この部分の天板の下面に肉抜き部を形成するときは、キャップ本体の剛性を低下させずに目付減を実現することができる。また、その肉抜きは、天板を一周する３６０°の範囲に連続して形成するのではなくて、天板がヒンジに連結する部分には肉抜き部を形成しない場合には、その結果、キャップ本体から開閉ヒンジを通して天蓋に達する樹脂流の流路の断面は大きいまま確保されていて、樹脂流の流路を平準化し、充分な樹脂流が天蓋に供給されるので、天蓋において表面剥離、焼け等の成形不良の発生を防ぐことができる。
【００２５】
次に肉抜き部は連続的に形成されるのではなく間欠的に形成される場合には、その結果、隣合う肉抜き部の間には肉抜きされない部分が大きな肉厚をもって残されていて、この部分が樹脂流の流れを確保すると共に、冷却固化後には製品のリブとして機能し、製品の剛性を保ち、キャップ本体のボトルノズルに対する嵌着力を維持する。これによって、製品の成形不良防止、剛性保持と目付減を両立させる。
【００２６】
以上の説明から明らかな通り、この発明によれば製品の成形不良防止及び剛性保持と目付減を両立させることができるヒンジキャップを得ることができる。
【図面の簡単な説明】
【００２７】
【図１】ヒンジキャップの縦断面図。
【図２】ヒンジキャップの底面図。
【符号の説明】
【００２８】
１    ヒンジキャップ
２    キャップ本体
３    天蓋
４    開閉ヒンジ
５    注出口
６    枠体
７    口蓋
８    流出案内樋
９    中心線
１０  天板
１１  戻り液受け壁
１２  戻り液回収流路
１３  段差
１４  内側部分
１５  外側部分
１６  スコアー
１７  プルリング
１８  支柱
１９  後端
２０  後端
２１  内スカート
２２  外スカート
２３  空隙
２４  肉抜き部
２５  肉抜き部不形成部分
２６  肉抜き部不形成部分
２７  肉抜き部形成部分
２８  過渡部分
２９  ゲート
【図１】
2005112406.tif 000003
【図２】
2005112406.tif 000004